(57)【特許請求の範囲】
【請求項１】
バレルと、該バレルを覆うバレルカバーと、前記バレルの後端に接続された胴部と、胴部の下部に形成された弾倉結合部とを備えた銃に設けられるものであって、
弾倉の外部に嵌合するホルダーと、前記ホルダーの両側に形成され、両端部に嵌込手段が設けられたコネクターから構成された弾倉クリップが複数連結して構成された多重弾倉装着部と、
前記多重弾倉装着部のコネクターを下方に押して下降させる作動バーと、前記作動バーの端部に形成され、手で把持することができ、前記バレルカバーの下部に形成され、前後進作動するハンドルで構成された装填誘導部とを、含むことを特徴とする
銃の弾倉交換装置。
【請求項２】
前記装填誘導部は、前記作動バーの後端にヒンジ結合しているリンク片と、該リンク片の端部にヒンジ結合して昇降作動され、第１ラックギアが形成されているラックバーを含み、
前記弾倉の下降後の横移動を誘発することにより空の弾倉が移動し、新しい弾倉が弾倉結合部に対応するように位置を変更させる位置移動部を含むことを特徴とする
請求項１に記載の銃の弾倉交換装置。
【請求項３】
前記位置移動部は、胴部に装着されて下方に垂直に形成されるシリンダーと、前記シリンダーの下端部に結合して伸縮作動するロッドと、前記ロッドの下端にヒンジ結合されて回転する第１、２のピニオンギアとから構成され、前記第１ピニオンギアは、前記第１ラックギアに歯車結合され、前記第２ピニオンギアは、前記コネクターの第２ラックギアに歯車結合されることを特徴とする
請求項２に記載の銃の弾倉交換装置。
【請求項４】
前記ロッドの下端に接続され、コネクターの上面及び下面に支持される複数のローラーが上下に設けられており、
前記複数のローラーが結合するコ字状のブラケットから構成されたガイド部材を含むことを特徴とする
請求項３に記載の銃の弾倉交換装置。
【請求項５】
前記ハンドルに接続され、作動バーと平行に形成され、弾倉止めボタンを押圧する弾倉止めボタンプッシャーをさらに含むことを特徴とする
請求項１に記載の銃の弾倉交換装置。
【請求項６】
前記弾倉結合部の外側に形成され、多重弾倉装着部の隣接している弾倉クリップ同士の間に挿入されるための鋭い先端を備えている弾倉分離部材をさらに含むことを特徴とする
請求項1に記載の銃の弾倉交換装置。
【請求項７】
前記ラックバーの昇降作動を案内するラックガイドが含まれており、
前記ラックガイドは、ラックバーが挿通するための通孔を有しており、ガイド部材のコ字状のブラケットに一体に設けられていることを特徴とする
請求項２に記載の銃の弾倉交換装置。
【発明の詳細な説明】
【技術分野】
【０００１】
本発明は、銃の弾倉交換装置に係り、より詳細には、銃の弾倉を交換することができる弾倉交換装置に関するものである。
【背景技術】
【０００２】
本明細書で他に表示されない限り、本識別項目で説明される内容は本出願の請求範囲に対する従来技術ではなく、また、本識別項目に記載されているという理由で従来技術であると認められるものではない。
【０００３】
銃は、基本火器としての弾丸が予め装填されている弾倉を挿弾して射撃を行い、弾丸が消尽すると、新しい弾倉に交換して使用することになる。
【０００４】
近年、銃の機能が格段に改良され、単発及び連発の射撃が可能となるように製造されてきたが、弾倉に収容される弾丸の数量が限られるため、連発射撃を行う場合、弾丸の消尽が速くなると同時に弾倉の交換周期も速くなり、弾倉を交換している間は、脆弱な状態となる恐れがあった。
【０００５】
また、弾倉を交換した後、再照準にかかる時間もかなり無駄であるため、実戦において攻撃力を低下させる要因ともなる。
【発明の概要】
【発明が解決しようとする課題】
【０００６】
本発明の目的は、銃の弾倉交換が迅速に行われることができ、且つ、照準点を維持した状態で弾倉交換を可能にすることによって射撃の効率性を最高に維持することができるようにして攻撃力を格段に向上することができる、銃の弾倉交換装置を提供することにある。
【課題を解決するための手段】
【０００７】
上記の目的を達成するための本発明の一実施形態に係る銃の弾倉交換装置は、バレル（ｂａｒｒｅｌ）と、該バレルを覆うバレルカバーと、前記バレルの後端に接続された胴部と、該胴部の下部に設けられる弾倉結合部とを備えた銃に設けられるものであって、弾倉の外部に嵌合するホルダーと、前記ホルダーの両側に設けられており、両端部に嵌込手段が備えられたコネクターから構成された弾倉クリップが複数連結して構成された多重弾倉装着部、該多重弾倉装着部のコネクターを下方に押して下降させる作動バーと、前記作動バーの端部に設けられ、手で把持することができ、バレルカバーの下部に設けられ、前後進作動するハンドルから構成された装填誘導部を含む、銃の弾倉交換装置によって達成することができる。
【発明の効果】
【０００８】
開示の実施形態によれば、銃の弾倉交換が迅速に行われることができ、且つ、照準点を維持した状態で弾倉交換を可能とすることによって、射撃効率を最高に維持することができるようにし、攻撃力が格段に向上する効果がある。
【図面の簡単な説明】
【０００９】
【図１】本発明の一実施形態に係る弾倉交換装置を示した斜視図である。
【図２】本発明の一実施形態に係る弾倉交換装置を他の方向から見た斜視図である。
【図３】本発明の一実施形態に係る弾倉交換装置を一側の方向から見た側面図である。
【図４】本発明の一実施形態に係る弾倉交換装置を他側の方向から見た側面図である。
【図５】本発明の一実施形態に係る弾倉交換装置を銃に装着した使用例を示した斜視図である。
【図６】本発明の一実施形態に係る弾倉交換装置に複数の弾倉が結合した例を示した斜視図である。
【図７】図６を他の方向から見た斜視図である。
【図８】本発明の一実施形態に係る弾倉交換装置を示した正面図である。
【図９】本発明の一実施形態に係る弾倉交換装置の作動前の状態を示した側面図である。
【図１０】図９に対する正面図である。
【図１１】本発明の一実施形態に係る弾倉交換装置でハンドルを1次後進した後、弾倉が分離された状態を示す側面図である。
【図１２】図１１に対する正面図である。
【図１３】本発明の一実施形態に係る弾倉交換装置でハンドルを２次後進した後、弾倉が移動された状態を示す側面図である。
【図１４】図１３に対する正面図である。
【図１５】本発明の一実施形態に係る弾倉交換装置でハンドルの前進作動と弾倉との結合を示した側面図である。
【図１６】図１５に対する正面図である。
【図１７】本発明の一実施形態に係る弾倉交換装置の「弾倉止めボタンプッシャー」を示した図である。
【図１８】本発明の一実施形態に係る弾倉交換装置の「弾倉排出部材」を示した図である。
【発明を実施するための形態】
【００１０】
以下、添付図面を参照して、本発明の実施形態を詳細に説明する。
【００１１】
以下で述べる実施形態は、本発明の属する技術分野における通常の知識を有する者が発明を容易に実施できる程度に説明するためのものであって、これにより本発明の技術的思想及び範疇が限定されることを意味することではない。
【００１２】
また、図面に示している各構成要素の寸法や形状などは、説明を明確にするため誇張していることがある。また、本発明の構成及び作用を考慮し、特に定義した用語は、使用者や運用者の意図または慣例によって異なることがあり、これらの用語に対する定義は、明細書の全般にかけて下されなければならない。
【００１３】
図１乃至図５に示しているように、実施形態に係る弾倉交換装置Ａは、バレル６１０と、バレル６１０を覆うバレルカバー６２０と、バレル６１０の後端に接続された胴部６３０と、胴部６３０の下部に形成された弾倉結合部６４０とを備えた銃に設けられるものであって、弾倉７００の外部に嵌合するホルダー２２０と、前記ホルダー２２０の両側に形成され、両端部に嵌込手段が形成されたコネクター２４０から構成された弾倉クリップ２６０が複数連結して構成された多重弾倉装着部２００、前記多重弾倉装着部２００のコネクター２４０を下方に押して下降させる作動バー１２０と、前記作動バー１２０の端部に形成され、手で把持することができ、バレル６２０の下部に設けられ、前後進作動するハンドル１４０から構成された装填誘導部１００を、含んで構成されている。
【００１４】
前記多重弾倉装着部２００は、ホルダー２２０が弾倉７００の外面に嵌合するように嵌合溝２２１が設けられており、当該嵌合溝２２１は、弾倉７００の断面形状に応じて略長方形状に形成される。
【００１５】
ホルダー２２０の嵌合溝２２１の内面には、摩擦力を高めるためにコート層を形成してもよい。コート層は、ウレタンやゴム材からなる。
【００１６】
長方形状のホルダー２２０の短辺にそれぞれコネクター２４０が設けられる。
【００１７】
コネクター２４０は、一側端には突出した嵌合突部２４２が設けられており、他側端には嵌合突部２４２が挿入できる嵌合凹部２４４が設けられている。
【００１８】
したがって、複数のコネクター２４０は、それぞれの嵌合突部２４２と嵌合凹部２４４との嵌合により連続した結合が可能となるので、多重弾倉装着部２００は、略３〜５個の弾倉クリップ２６０が連結してワンセットを構成することになる。
【００１９】
前記両側コネクター２４０のうちのいずれか一方、または両方のコネクター２４０には外面に長手方向に第２ラックギア２８０が設けられる。
【００２０】
第２ラックギア２８０は、位置移動部３００の第２ピニオンギア３６２と歯車結合する。
【００２１】
一方、装填誘導部１００は、ハンドル１４０を後進させる動作を行うことにより、弾倉クリップ２６０を下方にスライドさせ、空の弾倉７００が取り出されるように作動する。
【００２２】
ハンドル１４０は、バレル６１０に結合する装着ホルダー１６０に一端が固定されて水平に設けられている作動バー１２０の前方に形成される。
【００２３】
好ましくは、ハンドル１４０の揺れを防止するために装着ホルダー１６０の下方通孔に挿通してハンドル１４０の前端部を弾性支持するバネを備えた弾持部材１７０が設けられる。
【００２４】
前記作動バー１２０の後端には、リンク片１８０がヒンジ結合される。リンク片１８０は、下方に向かって設けられており、リンク片１８０の一端にラックバー１９０の上端がヒンジ結合され、ラックバー１９０は、垂直に設けられる。
【００２５】
ラックバー１９０の外面には、長手方向に第１ラックギア１９２が設けられる。
【００２６】
第１ラックギア１９２には、第１ピニオンギア３６１が歯車結合される。
【００２７】
ラックバー１９０の昇降作動を案内するためにラックガイド１９８が外側に設けられている。
【００２８】
ラックガイド１９８は、ラックバー１９０が挿通するように長方形状の通孔が中央に形成されている。また、ラックガイド１９８は、ガイド部材３８０のコ字状のブラケットに一体に接続されている。
【００２９】
ハンドル１４０を把持し、作動バー１２０を後進させると、リンク片１８０及びラックバー１９０は、ヒンジ結合された状態で、ラックバー１９０が垂直に下降することになる。
【００３０】
ラックバー１９０の下降により第１ラックギア１９２に歯車結合している第１ピニオンギア３６１が回転する。
【００３１】
第１ピニオンギア３６１の回転に伴って第２ピニオンギア３６２が回転する。
【００３２】
第２ピニオンギア３６２の回転により、第２ラックギア２８０を一方向に押し出すことによって、空の弾倉７００は、横方向に移動することになる。
【００３３】
空の弾倉７００が移動すると、近接している新しい弾倉７００が弾倉結合部６４０の対応位置に到達する。
【００３４】
一方、前記弾倉７００の下降後、横移動を誘発することにより、空の弾倉７００を外部に移動することができ、新しい弾倉７００が弾倉結合部６４０に対応するように位置を変更させる位置移動部３００が含まれる。
【００３５】
前記位置移動部３００は、胴部６３０に装着されて下方に向かって垂直に設けられるシリンダー３２０と、前記シリンダー３２０の下端部に結合して伸縮作動するロッド３４０と、前記ロッド３４０の下端にヒンジ結合して回転される第１、２のピニオンギア３６１、３６２とから構成される。
【００３６】
第１、２のピニオンギア３６１、３６２は、シャフト３６３の両側にそれぞれ結合する。
【００３７】
前記第１ピニオンギア３６１は、前記第１ラックギア１９２に歯車結合し、前記第２ピニオンギア３６２は、前記コネクター２４０の第２ラックギア２８０に歯車結合している。
【００３８】
したがって、第１、２のピニオンギア３６１、３６２のいずれか一つが回転すると、他の一つのピニオンギアも伴って回転することになる。
【００３９】
好ましくは、第１、２のピニオンギア３６１、３６２は、ラックバー１９０が下降する場合にのみ回転し、ラックバー１９０が上昇すると、空回りすることが良い。
【００４０】
第１、２のピニオンギア３６１、３６２の歯形は、斜辺を有する直角三角形から形成されることが良く、好ましくは、前記斜辺は下方に向かって形成されることが良い。
【００４１】
これにより、第１ラックギア１９２が上昇する時は、斜辺に当接するようになるため、第１、２のピニオンギア３６１、３６２は、回転しない。逆に第１ラックギア１９２が下降する時は、第１、２のピニオンギア３６１、３６２が回転する。
【００４２】
したがって、ラックバー１９０が下降する動作、つまりハンドル１４０を引っ張って後進する動作にのみ、第１、２のピニオンギア３６１、３６２が回転できることによって、空の弾倉７００と、新しい弾倉７００との移送動作が行われる。
【００４３】
一方、前記ロッド３４０の下端に接続され、コネクター２４０の上面及び下面に支持される複数のローラー３８２が上下に設けられており、複数のローラー３８２が結合するためのコ字状のブラケットから構成されたガイド部材３８０をさらに含んでいる。
【００４４】
一方、図１７に示しているように、ハンドル１４０に接続されており、作動バー１２０と平行に形成され、弾倉止めボタン（ｍａｇａｚｉｎｅ  ｃａｔｃｈ  ｂｕｔｔｏｎ）６４２を押圧する弾倉止めボタンプッシャー（ｍａｇａｚｉｎｅ  ｃａｔｃｈ  ｂｕｔｔｏｎ  ｐｕｓｈｅｒ）８００が設けられている。
【００４５】
弾倉止めボタンプッシャー８００は、ハンドル１４０の一側に一端が固定されて作動バー１２０と平行に配設されるスティックであり、端部には、弾倉止めボタン６４２を押圧することができるように弧状の突部８１０が備えられている。
【００４６】
これにより、ハンドル１４０が後進すると、弾倉止めボタンプッシャー８００が後進しながら弾倉止めボタン６４２を押圧し、弾倉結合部６４０に結合している弾倉７００の固定力を解除する。
【００４７】
前述したように構成されている本発明の作用について述べると、次の通りである。
【００４８】
図９及び図１０に示しているように、弾倉７００が弾倉結合部６４０に挿入されている状態である。
【００４９】
また、図１１及び図１２に示しているように、ハンドル１４０をさらに後進させると、作動バー１２０、リンク片１８０、ラックバー１９０が下降することになる。第１ラックギア１９２に歯車結合した第１ピニオンギア３６１は、未だ回転することはできず、ラックバー１９０の下降される力に伴って、多重弾倉装着部２００を押し下げる力だけで作動される。
【００５０】
弾倉７００が弾倉結合部６４０に挿入されている状態であるため、ラックバー１９０が下降しても、第１ピニオンギア３６１は回転できないわけである。
【００５１】
次いで、図１３及び図１４、図１８に示しているように、弾倉が弾倉結合部６４０から取り外されると、ラックバー１９０の第１ラックギア１９２に歯車結合している第１ピニオンギア３６１が回転し、それに伴って第２ピニオンギア３６２が回転する。
【００５２】
第２ピニオンギア３６２が歯車結合している第２ラックギア２８０を押すことにより、空の弾倉７００が結合されている弾倉クリップ２６０が空の弾倉７００ｂと共に横方向に移動し、後に新しい弾倉７００ａが弾倉結合部６４０の対応位置に移動される。
【００５３】
また、図１５及び図１６に示しているように、ハンドル１４０を前進させると、作動バー１２０及びリンク片１８０、ラックバー１９０が上昇することになり、第１ラックギア１９２に歯車結合している第１ピニオンギア３６１は、回転は行わず、ラックバー１９０の上昇と伴って弾倉クリップ２６０を上昇させることになるため、新しい弾倉７００が弾倉結合部６４０に結合することができる。
【００５４】
一方、図１８に示しているように、空の弾倉７００と共に弾倉クリップ２６０を、新しい弾倉７００の弾倉クリップ２６０から完全に外側に取り外すことができる弾倉分離部材６４６をさらに含んでいる。
【００５５】
弾倉分離部材６４６は、前記弾倉結合部６４０の外側に形成され、多重弾倉装着部２００の隣接した弾倉クリップ２６０同士の間に挿入できるように鋭い先端から形成されている。
【００５６】
近接している空の弾倉７００と、新しい弾倉７００との間に弾倉分離部材６４６が挿入され、新しい弾倉７００は、弾倉結合部６４０に結合している状態であるため、空の弾倉７００のコネクター２４０が互いに分離されることによって空の弾倉７００は外方に取り出されることができる。
【００５７】
以上、本発明の好適な実施形態について説明したが、本発明の要旨と範囲を逸脱することなく、多様な修正及び変形が可能であることは、当該発明の属する技術分野における通常の知識を有する者にとって容易に認識できるものであって、それらの変形及び修正が請求の範囲に属することは明白である。
【符号の説明】
【００５８】
１００  装填誘導部
１２０  作動バー
１４０  ハンドル
１６０  装着ホルダー
２００  多重弾倉装着部
２２０  ホルダー
２４０  コネクター
２６０  弾倉クリップ
６４０  弾倉結合部
７００  弾倉
【図１】
0006887536.tif 000002
【図２】
0006887536.tif 000003
【図３】
0006887536.tif 000004
【図４】
0006887536.tif 000005
【図５】
0006887536.tif 000006
【図６】
0006887536.tif 000007
【図７】
0006887536.tif 000008
【図８】
0006887536.tif 000009
【図９】
0006887536.tif 000010
【図１０】
0006887536.tif 000011
【図１１】
0006887536.tif 000012
【図１２】
0006887536.tif 000013
【図１３】
0006887536.tif 000014
【図１４】
0006887536.tif 000015
【図１５】
0006887536.tif 000016
【図１６】
0006887536.tif 000017
【図１７】
0006887536.tif 000018
【図１８】
0006887536.tif 000019